(57)【要約】【課題】  床下空間に空調空気を供給して室内の空調を行う床下空調構造に関し、床材の支持脚の配置に関係なく、空調空気の流通路としてのダクトのレイアウトを自由に設定でき、またダクトの大きさも自由に決められて自由度が高く、また施工性にも優れた床下空調構造を提供することを課題とする。【解決手段】  基礎部に立設され、上端部に床材載置部３０が設けられた複数の第一の支持脚８と、第一の支持脚８の床材載置部３０に載置される床材４と、床材の下側に配置され、左右の側板材１４及び上板材１６からなり、床下空調を行うための空調空気の流通路を形成する第一のダクト６と、を有し、第一のダクトの配置位置が一部の第一の支持脚と重なる場合には、当該一部の第一の支持脚を第一のダクトの内部に配置し、当該一部の第一の支持脚の床材載置部に、第一のダクトの上板材及びこの上部に配置される床材を同時に載置し支持させる構成である。【選択図】  図１
2018159514.tif 000002
【特許請求の範囲】
【請求項１】
基礎部に立設され、上端部に床材載置部が設けられた複数の第一の支持脚と、
上記第一の支持脚の床材載置部に載置される床材と、
上記床材の下側に配置され、左右の側板材及びこれら両側板材の上部間に設けられる上板材からなり、床下空調を行うための空調空気の流通路を形成する第一のダクトと、を有し、
上記第一のダクトの配置位置が一部の上記第一の支持脚と重なる場合には、当該一部の第一の支持脚を上記第一のダクトの内部に配置し、当該一部の第一の支持脚の床材載置部に、上記第一のダクトの上板材及びこの上部に配置される上記床材を同時に載置し支持させることを特徴とする床下空調構造。
【請求項２】
上記第一のダクトの上板材を、断面が上方に突出した円弧状に形成したことを特徴とする請求項１に記載の床下空調構造。
【請求項３】
上記第一の支持脚の床材載置部に載置される上記上板材の該当部位を、上記床材載置部に固定したことを特徴とする請求項１又は請求項２に記載の床下空調構造。
【請求項４】
基礎部に立設され、上端部に床材載置部が設けられた複数の第二の支持脚と、
上記第二の支持脚の床材載置部に載置される床材と、
上記床材の下方に配置され、左右の側板材及びこれら両側板材の上部間に設けられる上板材からなり、床下空調を行うための空調空気の流通路を形成する第二のダクトと、を有し、
上記第二のダクトの配置位置が一部の上記第二の支持脚と重なる場合には、当該一部の第二の支持脚の床材載置部の下側に上板載置部を設け、当該一部の第二の支持脚を上記第二のダクトの内部に配置し、当該一部の第二の支持脚の床材載置部を、上記第二のダクトの上板材に設けた挿通孔部から突出させ、この床材載置部に上記床材を載置し支持させる一方、上記挿通孔部の周辺部を上記上板載置部で保持させることを特徴とする床下空調構造。
【請求項５】
上記両側板材の上部と上記上板材との間を、上記上板材を上記両側板材に対して取り外し可能、又は開閉可能に接合したことを特徴とする請求項１乃至請求項４の何れかに記載の床下空調構造。
【請求項６】
上記両側板材の上部と上記上板材の両側端部との接合部を、それぞれはぜ継ぎにより接合したことを特徴とする請求項５に記載の床下空調構造。
【請求項７】
上記基礎部に、脚部の上部に噴流ノズル部を取り付けた噴流装置を配置し、上記空調空気の流通路と連通する連通部材を用いて上記噴流ノズル部に空調空気を流入させ、この噴流ノズル部から上記床材に向け或いは床下部に空調空気を吹き出させることを特徴とする請求項１乃至請求項６の何れかに記載の床下空調構造。
【請求項８】
上記噴流装置の脚部の上端部に床材載置部を設け、この床材載置部により上記床材を支持させることを特徴とする請求項７に記載の床下空調構造。
【請求項９】
上記左右の側板材の下部間に、下板材を設けたことを特徴とする請求項１乃至請求項８の何れかに記載の床下空調構造。
【発明の詳細な説明】
【技術分野】
【０００１】
本発明は、床下空間に空調空気を供給して室内の空調を行う床下空調構造に関する。
【背景技術】
【０００２】
従来、床下に配置したダクト等により空調空気を床下に送り、床面等を介して室内の空調を行う空調方式が知られている。
【０００３】
例えば、特許文献１に記載の床パネル一体型ダクト部材は、ダクト部材としてダクト本体は、冷気吹き出しの孔部を有する床パネル、下側パネル、及び複数の支持部材を備えて両パネル間に気流流路を形成し、さらに流路以外の面を閉塞する側面パネル等を設け、ダクト本体等を気流ルートに配置してダクトを構成したものであり、各装置類は架台フレーム、床パネル及び脚部等からなる架台構造体上に配置し、ダクト部材は架台フレームに載置する構造である。
【０００４】
特許文献２の吹出口分散型等の空調設備は、支持杆によって吹出床ユニットと盲床材ユニットとを浮かして敷設し、調和空気を、フレキシブルダクトを用いて送気し或いはブロックダクトを支持杆で浮かして接続して送気し、必要箇所に配置された吹出床ユニットを連接して送風路を形成したものである。
【０００５】
特許文献３に記載の温風床暖房装置は、基礎上に配置した支持台の上に根太を設けて床板を取り付け、根太と基礎上の断熱層との間に形成した温風通路に、金属板を角筒状に形成した送風ダクトを配管した構成である。
また、特許文献４のフロアの空調構造は、床ダクト材の底板部に、フロア部材の脚部が挿通する脚孔部を設け、底板部と床基礎面との間に空間部を形成して床ダクト材を配置し、フロア部材の脚部を床ダクト材の脚孔部を挿通させて配置し、床ダクト材に空調空気を導入して空調を行うものである。
【先行技術文献】
【特許文献】
【０００６】
【特許文献１】特開２０１０−１３３６３７号公報
【特許文献２】実開平３−１０７６５２号公報
【特許文献３】特開２００１−３０４５９４号公報
【特許文献４】特許５９８１１６８号公報
【発明の概要】
【発明が解決しようとする課題】
【０００７】
さて、上記特許文献１に係るダクト部材は、隣接される架台構造体の架台フレームに載置されるものであり、また特許文献２の空調設備では、フレキシブルダクトは支持杆を迂回し、またブロックダクト自体を支持杆で支持させた構成、また特許文献３についても、送風ダクトを支持台同士の間の温風通路に配置した構成であり、何れも、脚部、支持台等をさけてダクト配置する構造であるため、ダクトの配置形態が制約されるという問題がある。
【０００８】
また、特許文献４は、床ダクト材にフロア部材の脚部が挿通する構造であるが、床ダクト材の脚孔部とフロア部材の脚部との関係は特定されているため、フロア部材に対して床ダクト材を自由に配置できないという問題がある。
【０００９】
本発明は上記問題点を解決するためになされたものであり、床材の支持脚の配置に関係なく、空調空気の流通路としてのダクトのレイアウトを自由に設定でき、またダクトの大きさも自由に決められる等、自由度が高く、また施工性及び経済性にも優れた床下空調構造を提供することを課題とする。
【課題を解決するための手段】
【００１０】
以上の技術的課題を解決するため、本発明に係る床下空調構造は、図１等に示すように、基礎部に立設され、上端部に床材載置部３０が設けられた複数の第一の支持脚８と、上記第一の支持脚８の床材載置部３０に載置される床材４と、上記床材４の下側に配置され、左右の側板材１４，１４及びこれら両側板材の上部間に設けられる上板材１６からなり、床下空調を行うための空調空気の流通路を形成する第一のダクト６と、を有し、上記第一のダクト６の配置位置が一部の上記第一の支持脚８と重なる場合には、当該一部の第一の支持脚８を上記第一のダクト６の内部に配置し、当該一部の第一の支持脚８の床材載置部３０に、上記第一のダクト６の上板材１６及びこの上部に配置される上記床材４を同時に載置し支持させる構成である。
ここで、上記第一のダクトの上板材と側板材とは一体、或いは別体の形状がある。
【００１１】
また、本発明に係る床下空調構造は、上記第一のダクト６の上板材１６を、断面が上方に突出した円弧状に形成した構成である。
本発明に係る床下空調構造は、上記第一の支持脚の床材載置部に載置される上記上板材の該当部位を、上記床材載置部に固定した構成である。
【００１２】
本発明に係る床下空調構造は、図５等に示すように、基礎部に立設され、上端部に床材載置部９４が設けられた複数の第二の支持脚７８と、上記第二の支持脚７８の床材載置部９４に載置される床材７４と、上記床材７４の下方に配置され、左右の側板材８４及びこれら両側板材の上部間に設けられる上板材８６からなり、床下空調を行うための空調空気の流通路を形成する第二のダクト７６と、を有し、上記第二のダクト７６の配置位置が一部の上記第二の支持脚７８と重なる場合には、当該一部の第二の支持脚７８の床材載置部９４の下側に上板載置部９２を設け、当該一部の第二の支持脚７８を上記第二のダクト７６の内部に配置し、当該一部の第二の支持脚７８の床材載置部９４を、上記第二のダクト７６の上板材８６に設けた挿通孔部８７から突出させ、この床材載置部９４に上記床材７４を載置し支持させる一方、上記挿通孔部８７の周辺部を上記上板載置部９２で保持させる構成である。
ここで、上記第二のダクトの上板材と側板材とは一体、或いは別体の形状がある。
【００１３】
また、本発明に係る床下空調構造は、上記両側板材の上部と上記上板材との間を、上記上板材を上記両側板材に対して取り外し可能、又は開閉可能に接合した構成である。
本発明に係る床下空調構造は、上記両側板材の上部と上記上板材の両側端部との接合部を、それぞれはぜ継ぎにより接合した構成である。
【００１４】
本発明に係る床下空調構造は、上記基礎部に、脚部の上部に噴流ノズル部４４を取り付けた噴流装置１０を配置し、上記空調空気の流通路と連通する連通部材５４を用いて上記噴流ノズル部４４に空調空気を流入させ、この噴流ノズル部４４から上記床材に向け或いは床下部に空調空気を吹き出させる構成である。
【００１５】
本発明に係る床下空調構造は、上記噴流装置１０の脚部の上端部に床材載置部を設け、この床材載置部により上記床材を支持させる構成である。
本発明に係る床下空調構造は、上記左右の側板材の下部間に、下板材を設けた構成である。ここで、上記下板材は、上記左右の側板材と一体の形状（上部が開口した断面コの字状）、或いは別体の形状がある。
【発明の効果】
【００１６】
本発明に係る床下空調構造によれば、第一の支持脚、床材、左右の側板材及び上板材からなる第一のダクトを有し、第一のダクトの配置位置が一部の第一の支持脚と重なる場合には、第一の支持脚を第一のダクトの内部に配置し、第一の支持脚で第一のダクトの上板材及び床材を同時に支持させる構成を採用したから、第一の支持脚の立設位置に関係なく空調空気の流通路として第一のダクトの配置位置を自由に設定することができ、流通路のレイアウトが自由に設計でき、加えて第一の支持脚の位置や床高などに関係なく、所望の風量に合った流通路としての第一のダクトの寸法を自由に設定することができて、汎用性に富み、また各部材の設置が自由かつ簡単で施工性に優れ、経済性にも優れるという効果を奏する。
【００１７】
本発明に係る床下空調構造によれば、第一のダクトの上板材を、断面が上方に突出した円弧状に形成したから、床材の変位に対してもこれに追従し、また振動を抑へ、緩衝性も得られるという効果がある。
【００１８】
本発明に係る床下空調構造によれば、第二の支持脚、床材、左右の側板材及び上板材からなる第二のダクトを有し、第二のダクトの配置位置が第二の支持脚と重なる場合には、第二の支持脚を第二のダクトの内部に配置して、上板材に設けた挿通孔部から突出させ、第二の支持脚で床材を支持させ且つその下側で上板材を保持させる構成を採用したから、第二の支持脚の立設位置に関係なく空調空気の流通路として第二のダクトの配置位置を自由に設定することができ、流通路のレイアウトが自由に設計でき、加えて第二の支持脚の位置や床高などに関係なく、所望の風量に合った流通路としての第二のダクトの寸法を自由に設定することができて、汎用性に富み、また各部材の設置が自由かつ簡単で施工性に優れ、経済性にも優れるという効果を奏する。
【００１９】
本発明に係る床下空調構造によれば、上板材を両側板材に対して取り外し可能、又は開閉可能に接合し、また両側板材の上部と上板材の両側端部との接合部を、それぞれはぜ継ぎにより接合したから、上板材の取り付け作業等が簡単且つ効果的に行えて施工性に優れるという効果がある。
【図面の簡単な説明】
【００２０】
【図１】本発明の第一の実施の形態に係る床下空調構造を示す図である。
【図２】第一の実施の形態に係る第一の支持脚を示す図である。
【図３】実施の形態に係る噴流装置の配置形態を示す図である。
【図４】第一の実施の形態に係る第一のダクトの組み立て状態示す図である。
【図５】本発明の第二の実施の形態に係る床下空調構造を示す図である。
【図６】第二の実施の形態に係る第二の支持脚を示す図である。
【図７】第二の実施の形態に係る第二のダクトの組み立て状態を示す図である。
【発明を実施するための形態】
【００２１】
以下、本発明の実施の形態を図面に基づいて説明する。
図１は、第一の実施の形態に係る床下空調構造を示したものである。
この床下空調構造は、建物の基礎部の上方に床面を形成する床材４、基礎部上に配置され空調空気の流通路を形成する第一のダクト６、床材４等を支持する第一の支持脚８等を有する。また、第一のダクト６には後述する噴流装置１０が連結され、床下空調が行われる。
【００２２】
床材４は、主に矩形状のシートパネル（パーティクルボード等）、捨貼り材（合板等）、及び仕上げ材（化粧フローリング材等）などの木材、木質の材料、或いは金属材（鋼材、アルミニウムなどの軽金属等）が用いられる。ここでは、特に板厚２０ｍｍのパーティクルボード等、長方形状の木材、木質の床材４を用いる。木材等からなる床材４は、比較的柔軟性があり床の変位もある。
【００２３】
上記第一のダクト６は、左右の側板材１４，１４、これら側板材１４の上部間に配置される上板材１６、及び下板材１８等からなる。これら各板材は、延設方向が所定寸法（例えば５０ｃｍ〜２００ｃｍ）の長方形状をなし、これらを直線状或いは直角状に配置、連結して第一のダクト６を構成する。
上板材１６、下板材１８等の幅は、空調に必要な流通路の大きさに応じて大小様々に形成することができる。第一のダクト６は、金属材料、合成樹脂材、織布又は不織布等で形成することができるが、ここでは矩形状の鋼板を屈曲成形等して用いる。
【００２４】
第一のダクト６の上板材１６の断面は、中央部が上方に凸状に屈曲した円弧状、アール状に形成されている。また、上記側板材８４及び下板材８８は何れも、全体（端部以外）はフラットな形状である。
第一のダクト６は、その上板材１６の円弧状の頂部及びこの近傍が床材４の裏面部に当接する状態で配置される。そして、第一の支持脚８の上端に設けた床材載置部３０により、床材４と第一のダクト６の上板材１６（頂部）とを重ねた状態で同時に支持する。
【００２５】
第一のダクト６の上板材１６の円弧形状により、上板材１６自体が上下に撓む（可撓性）性質を有する。これにより床の変位（上下左右）に対応可能であり、また緩衝性が確保できる。
そして、上板材１６の高さ位置に応じて、上板材１６の一部（２〜３割）、又はそれ以上の部位を床材４の裏面部に当接させ、両者を重ねた状態で配置することができる。上記両者が重なる箇所は、第一の支持脚８で支持可能な場所である。
また、上板材１６を円弧形状としたことにより、第一のダクト６内へ空調空気を流通させた際に、送風量の大小により生じる第一のダクト６の振動（流通空気によるダクトの各板材の振動）を抑制することができる。
また、後述するが、この流通空気によるダクトの各板材の振動は、第一の支持脚８によって支持される第一のダクト６の上板材１６の頂部等を、その床材載置部３０にビス等で固定することによっても防止できる。
【００２６】
また、第一のダクト６の各側板材１４の高さ（縦幅）は、第一の支持脚８の高さより小さく形成する。即ち、第一のダクト６の両側板材１４は、第一の支持脚８が支持する床材４の下面部に当接しないように定める。これは、床材４が撓んで床が沈んだ場合等、その影響を受けて床材４の下面部が側板材１４の上端部に当たるのを防止するためである。
また、第一のダクト６における上板材１６の可撓性の性質により、上部の床材４の上下振動等の変位に対しても、上板材１６はこれに追従して振動を吸収し、また緩衝性も得られる。
【００２７】
また、第一のダクト６の左右の側板材１４の上端部と、上板材１６の左右の各端部との接合部は、相互がかみ合うはぜ継ぎ、はぜ折りカシメ等により接合する。ここでの接合部は、ボタンパンチはぜ継ぎ１５（或いはピッツバーグはぜ継ぎ）等の接合形態を用いる。
ボタンパンチはぜ継ぎ１５では、側板材１４の上部を下方（内向き）に折り曲げ、さらに上方（内向き）に二重に折り曲げ、そして下方（外向き）に折り返して折返し部を形成する。
一方、上板材１６については端部近傍を下方に向けて屈曲し、この端部を内向きに折り返して凸状の係止部を形成する。この上板材１６の係止部が、上記側板材１４の折返し部に係止する。この係止部は、下部がとがった楔形状に成形することで、差し込みが容易になる。
【００２８】
上記はぜ継ぎ１５により、上板材１６を側板材１４と接合する際には、上板材１６の係止部を側板材１４の折返し部の箇所に滑らせながら差し込み、係止部を折返し部の下端部に係止させる。これにより、側板材１４の折り返し部に上板材の係止部が引っかかる構造となり、簡単には外れない。なお、はぜ継ぎの箇所の要所等については、カシメにより締め付けて固定を強固にすることができる。
【００２９】
第一のダクト６は、側板材１４に対して上板材１６が上記係止の形態で接合されているため、工具等を用いて係止の状態を外すことで上板材１６を取り外すことは可能である。
また第一のダクト６は、側板材１４に対して上板材１６は上下方向に対しては係止されているが、横方向に対しては自由にスライド可能である。そして、側板材１４に対して上板材１６を横にスライドさせ、上板材１６を取り外すことも可能である。
このように、第一のダクト６の上板材１６は、側板材１４に対して取り外し可能に、また横方向等に開閉可能に取り付けられている。
【００３０】
第一のダクト６の側板材１４と下板材１８との接合についても、相互がかみ合うはぜ継ぎ又はビス止め等により接合する。ここでのはぜ継ぎでは、ボタンパンチはぜ継ぎ（或いはピッツバーグはぜ継ぎ）等による接合形態等を用いることができる。
この場合、下板材１８の端部近傍を上方に屈曲し、この端部を内側に折り返して係止部を形成する。そして、側板材１４の下部に上記と同様に折返し部を形成し、この箇所に上記下板材１８の係止部を差し込み係止させる。
こうして、基礎部の上部に、上部が開放された断面コの字状の三方枠のものを形成し、両側板材１４，１４の上部に上板材１６をはぜ継ぎ、カシメ構造により接続し、四方枠のダクト構造を形成する。
【００３１】
このように、三方枠（下板材１８及び両側板材１４，１４）の状態から、順次上板材１６を配置し取り付けることができ、これにより第一のダクト６の組み立ての作業が容易となって施工性が良い。また、第一のダクト６の内部に第一の支持脚８が配置される場合にも、第一の支持脚８の設置場所を確認しながら、その床材載置部３０の上部に上板材１６を被せ、併せて床材４を支持させる作業等が容易に行える。
【００３２】
また、第一のダクト６として下板材１８を用いない形態も可能である。この場合は、基礎部の上部に、両側板材１４，１４及び上板材１６からなる三方枠のダクト構造が形成される。
このとき、例えば、縦片及び横片からなる断面Ｌ字状の長尺の金属製（鋼製等）の固定具等を用いて、第一のダクト６の側板材１４の下部を基礎部に固定することができる。この際、固定具の横片を基礎部に固定し、一方、縦片の端部を内向きに折り返して係止部を形成し、この係止部を側板材１４の折返し部等に差し込んで接続し、側板材１４の下部を固定する。
【００３３】
図２に示すように、上記第一の支持脚８は、円板状の台座部２６、この台座部２６に立設された脚部２８、及び床材載置部３０を有する。脚部２８は、中空状の高さ調整部３２、この高さ調整部３２に高さ調整可能に螺入される支持ボルト３４からなる。床材載置部３０は、上面が平坦な円板状で中央下部にナット部３１が一体形成され、螺子溝が刻設された支持ボルト３６とナット部３１とは螺合している。
この第一の支持脚８は、基礎部に台座部２６を配置固定し、床材載置部３０により、床材４を支持する。また第一の支持脚８の内、これと第一のダクト６とが重なる場合には、床材載置部３０により、床材４を支持し且つ第一のダクト６の上板材１６を保持する。
【００３４】
図３に示すように、上記噴流装置１０は、板状の台座部４０、この台座部４０の中央に立設される脚部４２、及び脚部４２の上部に取り付けられた噴流ノズル部４４を有する。この脚部４２は、高さ調整部及び支持ボルト等からなり、第一の支持脚８の脚部のように高さ調整可能である。また、脚部４２の上端部に、第一の支持脚８の床材載置部３０と同様の部材を取り付けることで、第一の支持脚８（第一のダクト６の外側に配置のもの）と同様に、床材４の支持も併せて可能となり、第一の支持脚８の削減等にも寄与する。
噴流ノズル部４４は、空調空気の導入口４６、空洞状の旋回室４８及び空調空気を吹き出す噴出口５０等で構成されている。
【００３５】
また、第一のダクト６と噴流ノズル部４４との間は、フレキシブルダクト或いは蛇腹状（可撓性）のホース等の連通部材５４により連結し、空調空気を噴流ノズル部４４に送る。この連通部材５４は、耐熱性で、第一のダクト６による空調空気の流通路を支流に分岐する。
連通部材５４の一端部には、この連通部材５４と連結する孔部が設けられた連結板材５６が固定されており、他端部は噴流ノズル部４４の導入口４６に連結可能である。第一のダクト６の側板材１４には、適宜な箇所に連通部材５４と連通させるための送気孔５３を設ける。連通部材５４の連結板材５６は、ビス５７等の止着具を用いて第一のダクト６の送気孔５３の部位に取り付ける。
【００３６】
噴流装置１０の脚部４２は、高さ調整可能であり、また脚部４２の上端部に第一の支持脚８の床材載置部３０と同様の部材を取り付けることで、第一の支持脚７８と同様に床材４を支持することも可能であり、これにより部品が削減される。
噴流装置１０は、空調空気を効率よく床材４に吹き付けてその温度調整を行い、また床下部（床下空間部）の空調を行うのに有効である。他に、第一のダクト６の上板材１６、或いは側板材１４等に空気噴出用の噴出孔を複数設け、これら噴出孔から空調空気を噴出させ、床下空調を行うこともできる。また、噴流装置１０と、第一のダクト６の噴出孔の両者から、空調空気を噴出させることも可能である。
第一のダクト６等は、予め工場等で必要な加工を行い、現場では組み立てを行う。
【００３７】
ここで、第一のダクト６及び第一の支持脚８等の配置形態について説明する。
建物の基礎部に配置する第一の支持脚８は、ここでは碁盤の目状に直交する縦横のラインの交差位置にそれぞれ配置する。
縦ライン同士の間隔、及び横ライン同士の間隔は、等間隔或いは異なる間隔があり得る。第一の支持脚８同士の縦横の各間隔は、床材４の板厚、強度等に応じて適宜な幅に定める。
【００３８】
また、基礎部に配置する第一のダクト６の配置形態は、コの字状、ロの字状、井の字状、或いは円の字状等、様々有り得るが、要は、空調空気を床下空間部の全体に均一に流通させる流通路を形成するように配置位置を定める。
また、第一のダクト６の配置位置は、第一の支持脚８の配置位置を意識せずに、これらとは無関係に定める。このため、第一のダクト６の配置位置内（内部）に第一の支持脚８が位置し、両者が重なる箇所が発生する。
【００３９】
通常、第一の支持脚８同士の縦横の間隔と比べて、第一のダクト６の幅（上板材１６の幅に相当）が大きい（或いは等しい）場合には、第一のダクト６の内部に第一の支持脚８が配置される箇所が多い。また、第一の支持脚８同士の縦横の間隔と比べて、第一のダクト６の幅が小さい場合であっても、第一のダクト６の配置形態によっては、第一のダクト６の内部に第一の支持脚８が配置される場合もある。
【００４０】
ここでは、第一のダクト６の内部に第一の支持脚８が配置される場合には、この第一の支持脚８により第一のダクト６の上板材１６を保持する。このため、第一の支持脚８は、その床材載置部３０により第一のダクト６の上板材１６を保持するとともに、この上部に床材４を重ねてこれを支持する。
なお、第一のダクト６の側板材１４と第一の支持脚８とが重なり同一箇所に配置される場合には、これを避けるように第一のダクト６を少しずらして配置する。
【００４１】
噴流装置１０は、床下空調を均一に行わせるため、基礎部の全体にわたって配置する。そして、噴流装置１０は第一のダクト６から流通路を分岐して空調空気を導入するため、第一のダクト６の送気孔５３の近くに配置する。
また、噴流装置１０は、その配置位置が第一の支持脚８の配置位置に近い場合には、同位置に噴流装置１０を配置し、この第一の支持脚８に代えて床材４の支持が可能である。
【００４２】
次に、第一のダクト６、第一の支持脚８及び床材４等の施工について説明する。
先ず、建物の基礎面２上には、アルミニウム製の遮熱シート６０を敷設し、基礎部を形成する。遮熱シート６０は、表面をアルミニウム、内部を遮熱材で構成した層状のシート材である。
第一の支持脚８、噴流装置１０及び第一のダクト６等の配置に際しては、これらを遮熱シート６０（又は第一のダクト６の下板材１８）の上部に配置する。なお、第一の支持脚８、噴流装置１０及び第一のダクト６等を直接基礎面の上部に設置してもよく、この場合は、遮熱シート６０の該当部位、また第一のダクト６の下板材１８の該当部位等を切り抜いておく。
【００４３】
そして、基礎部として遮熱シート６０上又は基礎面上に、複数の第一の支持脚８を配置する。ここでは、第一の支持脚８は、碁盤の目状に直交する縦横のラインの交差する位置にそれぞれ配置し、台座部２６をビス等を用いて固定する。
噴流装置１０についても、第一の支持脚８と同様に配置し固定する。このとき、噴流装置１０の配置位置が、第一の支持脚８の配置位置に近い場合等には、第一の支持脚８に代えて噴流装置１０を配置し、この噴流装置１０で床材４を支持させることもできる。
【００４４】
第一の支持脚８同士の縦横の各間隔は、床材４の板厚、強度等に応じて適宜な幅に定める。床材４は通常矩形状であり、第一の支持脚８は床材４の角部、各辺の端部、或いは床材の中央部等に配置する。また、噴流装置１０についても、第一のダクト６の側板材１４に所定間隔（例えば５０ｃｍ〜２００ｃｍ）をおいて設けた送気孔５３との関係により、適宜な位置に配置する。
【００４５】
続いて、基礎部の上部に第一のダクト６を配置する。第一のダクト６を配置した場合、上板材１６が被う範囲を第一のダクト６が占有するが、この範囲は、第一の支持脚８の位置を特に考慮することなく、これとは無関係に定めることができる。
【００４６】
図４に示すように、第一のダクト６については、遮熱シート６０上に下板材１８を配置し、その両側にそれぞれ側板材１４をはぜ継ぎ等によって組み付ける。なお、噴流装置１０の近くに配置される側板材１４には、予め、空調空気を送出させるための送気孔５３を設けておく。
【００４７】
次に、両側板材１４の上部に第一のダクト６の上板材１６を配置し、側板材１４の上部と上板材１６の端部とは、ボタンパンチはぜ継ぎの手段により接合し両者を組み付ける。
この際、第一のダクト６の範囲内に第一の支持脚８が位置し両者が重なる場合には、そのまま、この第一の支持脚８の床材載置部３０の上部に第一のダクト６の上板材１６を被せ、この上板材１６の両端部を左右の側板材１４に接続する。
そして、第一の支持脚８の床材載置部３０に載置される上板材１６の該当部位を、ビス等の止着具或いは接着材等を用いて固定する。このように、上板材１６を固定することにより、流通空気の送風量の変化等による第一のダクト６の各板材の振動等を防止する。
床材４は、この床材載置部３０の上部の上板材１６に重ねて敷設する。
なお、この場合、基礎部として第一のダクト６の下板材１８の上部に、第一の支持脚８を立設固定する形態も可能である。
【００４８】
このように、第一のダクト６は、側板材１４に対して上板材１６をはぜ継ぎにより取り付け、また必要によりこの上板材１６を取り外し、開閉等が可能であるため、上板材１６の取り付け及びその位置等を定めるのが容易で作業がし易い。
第一のダクト６の配置に関して、第一の支持脚８の設置位置には何ら影響を与えない。第一のダクト６の上板材１６同士、側板材１４同士の各接合部は、一部を重ねてビス止めし、或いは平はぜ等のはぜ継ぎにより接合する。
第一のダクト６は、上記手順により施工し、定められた配置形態に基づいて配置する。
【００４９】
第一のダクト６を流通する空調空気は、さらに分岐して噴流装置１０に送られ床下空調を行う。第一のダクト６と噴流装置１０とは、フレキシブルダクト等の蛇腹状の連通部材５４を用いて連結する。
この連通部材５４は、一端部の連結板材５６を、第一のダクト６の側板材１４に設けた送気孔５３の部位に取り付け、他端部を噴流装置１０における噴流ノズル部４４の導入口４６に連結する。
なお、施工手順において、先に第一のダクト６（上板材１６以外）を配置し、後から第一の支持脚８を配置する手順を採用することもできる。この場合、下板材１８の上に該当する第一の支持脚８を配置し、この第一の支持脚８を下板材１８及び基礎部等に固定する。また、第一のダクト６の上板材１６は、第一の支持脚８を配置した後から取り付ける。
【００５０】
第一の支持脚８、第一のダクト６及び噴流装置１０等の設置が完了すれば、第一の支持脚８等の上部に床材４としてのシートパネル６２等を配置する。
このとき、第一の支持脚８が第一のダクト６の内部に配置されている場合は、この第一の支持脚８の床材載置部３０に保持される第一のダクト６の上板材１６の上部に、シートパネル６２を載置する。このように、第一の支持脚８の床材載置部３０により、上板材１６を保持するとともにシートパネル６２を支持する。
【００５１】
上記シートパネル６２は、適宜な位置に配置された第一の支持脚８の床材載置部３０で支持させ、床全体に敷設する。シートパネル６２の上部には捨貼り材６３を敷設し、さらにこの上部に仕上げ材６４を敷設し床面を仕上げる。
第一のダクト６の上板材１６は、その断面が上方に膨れた円弧状に形成され、可撓性の性質があるため、床材４の変位、振動等に対しても上板材１６は自然に撓み、緩衝し、第一のダクト６の流通路にも何ら影響を与えない。
【００５２】
第一のダクト６の空調空気の導入口は、空調機と連通させ、空調機からは、暖房或いは冷房用の空調空気が送出される。
空調機からの空調空気は、導入口から第一のダクト６の流通路を流通する。この流通路では、各所に設けた噴流装置１０に空調空気が分流し、噴流装置１０の噴流ノズル部４４から空調空気が床材４の裏面部に吹き付けられ、床材４自体の温度調整及び床下空間部の空調が行われる。そして、空調空気により床材４の表面温度を調整し、床面からの輻射空調等により室内の空調を行い、また床下の空調空気の一部を室内に導入することで直接室内の空調も行える。
第一のダクト６からの空調空気の排出口は、開放（空調機と連結）、或いは閉塞（噴流ノズル部４４から全て排出）の何れの形態でもよいが、排出口から排出され、また噴流ノズル部４４から噴出された空気の一部、又は全部は再度空調機に取り込み、熱交換後、新たな空調空気として送出し、熱効率を良くする。
【００５３】
従って、上記第一の実施の形態によれば、第一の支持脚の配置に関係なく、空調空気の流通路としての第一のダクトのレイアウトを自由に設計することができ、また第一のダクトの大きさも自由に設定できる等、自由度が高くて汎用性に富み、また空調空気を部屋の床下部の全体にわたって流通させることができて空調が良好に行え、加えて第一のダクトの配置及び組み立ても容易であり、且つ床材の敷設にも影響を与えず、各部材の設置が自由かつ簡単であることから施工性にも優れ、各部材の製造も容易で経済性にも優れるという効果がある。
また、第一のダクトは第一の支持脚等に拘束されず、床下空間部に自由に配置でき、併せて、所望する空調空気の風量に合った流通路として第一のダクトの大きさを自由に設定することが可能である。
【００５４】
なお、第一のダクトについては、下記の他の形態を採用することも可能である。
例えば、下板材と左右の側板材とを一体化（上部が開口した断面コの字状）し、両側板材の上部間に上板材を取り付ける形態がある。
また、上板材と左右の側板材とが一体となった断面コの字状（下部が開口した形状）の部材（上部部材）を、第一のダクトとして用いる形態も可能である。さらに、この上部部材に、下板材として断面コの字状（上部が開口した形状）の下部部材を用い、上記上部部材をこの下部部材に被せ、両側部をビス等、或いはぜ継ぎ等で固定する形態もある。
また、上板材と左右の一方の側板材とが一体となった上側部材（断面Ｌ字状）、及び下板材と左右の他方の側板材とが一体となった下側部材を用い、これらの両部材の接続部（対角をなす２箇所）を、それぞれはぜ継ぎ等、或いはビス等で固定する形態も可能である。
さらに左右の側板部を上下部に２分割し、上部をそれぞれ上板材と一体化し、下部をそれぞれ下板材と一体化し、両一体化したものの側板材（上下に分割）同士をはぜ継ぎ、又はビス等を用いて接続し第一のダクトとする形態もある。
また、上板材を左右に２分割し、その右側の片半上板材と側板材とを一体化した右側部材（断面Ｌ字状）と、左側の片半上板材と側板材とを一体化した左側部材（断面Ｌ字状）とを向き合わせ、中央部で上板材（片半）同士を接続する形態もある。
このように、第一のダクトについては、上板材及び左右の側板材からなる形態、さらに下板材が加わる形態があるが、各板材同士は一体、別体（組立時に接合して一体化）の何れの形態についても採用可能である。
また、各板材自体を断面円弧状等に形成し、さらに各板材同士の角部を、直角以外に丸みを帯びた（円弧状、アール状）形状に形成してもよい。
上記第一のダクトの何れの形態についても、その他の構成、配置形態、施工方法は略同様であり、また上記と同様な効果を得ることができる。
【００５５】
次に、第二の実施の形態に係る床下空調構造について説明する。
図５に示すように、この床下空調構造は、建物の基礎部の上方に床面を形成する床材７４、空調空気の流通路を形成する第二のダクト７６、床材７４等を支持する第二の支持脚７８等を有する。また、第二のダクト７６には上記噴流装置１０が連結され、床下空調が行われる。ここで、第一の実施の形態と同一のものは、同一の符号を付し又は同じ表現等を用いてここでの詳細な説明は省略する。
【００５６】
床材７４は、主に矩形状のパネル材からなり、金属材（鋼材、アルミニウムなどの軽金属材等）、或いは硬質の木材、木質の材料が用いられる。ここでは、特に正方形（例えば５００ｍｍ×５００ｍｍ）の鋼製の床材７４（ＯＡパネル）を用いる。金属製の床材７４は、硬質で柔軟性はなく、床の沈み等の変位はほとんどない。
【００５７】
上記第二のダクト７６は、左右の側板材８４、これら側板材８４の上部間に配置される上板材８６、及び下板材８８等からなる。これら各板材は、延設方向が所定寸法（例えば５０ｃｍ〜２００ｃｍ）の長方形状をなし、これらを直線状或いは直角状に配置、連結して第二のダクト７６を構成する。
第二のダクト７６は金属材料を使用し、ここでは矩形状の鋼板を屈曲成形等して用いている。
【００５８】
第二のダクト７６の上板材８６、側板材８４及び下板材８８は何れも、全体（端部以外）はフラットな形状である。
第二のダクト７６は、その上板材８６を床材７４から少し下方の位置に配置する形態である。これは、第二の支持脚７８の上端部は、形状的に上板材８６の保持には適さないためであり、また床材７４は床の沈みがなく、床材７４の下面部と上板材８６との間に適宜な隙間を設けておけば、床材７４の下面部が第二のダクト７６の上板材８６に当たる懸念がないためである。
【００５９】
また、第二の支持脚７８は、その上端部で床材７４を支持する一方、その下方で第二のダクト７６の上板材８６を保持するといった、上下二段の一方で支持、他方で保持する形態を採用している。これは、第二のダクト７６の配置位置が第二の支持脚７８の配置位置と重なる場合、第二のダクト７６の内部に第二の支持脚７８を配置する形態となり、この場合、第二の支持脚７８で床材７４と上板材８６を支持、又は保持することになるためである。
また、上記第二の支持脚７８は上下二段構造であるため、上段の部位は上板材８６を貫通させて配置する必要があり、このため上板材８６の該当箇所には予め挿通孔部８７を設けておく。
【００６０】
また、第二のダクト７６の左右の側板材８４の上端部と、上板材１６の左右の各端部との接合部は、相互がかみ合うはぜ継ぎ、はぜ折りカシメ等により接合する。ここでの接合部は、ボタンパンチはぜ継ぎ１５（或いはピッツバーグはぜ継ぎ）等の接合形態を用いる。
上記はぜ継ぎ１５により、上板材８６を側板材８４と接合する際には、上板材８６の係止部を側板材８４の折返し部の箇所に差し込み、係止部を折返し部に係止させる。
【００６１】
第二のダクト７６は、側板材８４に対して上板材８６が上記係止の状態で接合されているため、工具等を用いて係止状態を外すことで上板材８６を取り外すことは可能である。
また、第二のダクト７６は上板材８６をスライドさせて取り外すことも可能であり、上板材８６は側板材８４に対して取り外し可能に、また横方向に開閉可能に取り付けられている。
【００６２】
第二のダクト７６の側板材８４と下板材８８との接合についても、相互がかみ合うはぜ継ぎ又はビス止め等により接合する。ここでのはぜ継ぎでは、ボタンパンチはぜ継ぎ（或いはピッツバーグはぜ継ぎ）等による接合形態等を用いることができる。
こうして、基礎部の上部に、上部が開放された断面コの字状の三方枠のものを形成し、両側板材８４，８４の上部に上板材８６をはぜ継ぎ、カシメ構造により接続し、四方枠のダクト構造を形成する。
【００６３】
このように、三方枠（下板材８８及び両側板材８４，８４）の状態から、順次上板材８６を配置し取り付けることができ、これにより第二のダクト７６の組み立ての作業が容易となって施工性が良い。また、第二のダクト７６の内部に第二の支持脚７８が配置される場合にも、第二の支持脚７８を上板材８６の挿通孔部８７から突出させ、この挿通孔部８７と第二の支持脚７８との位置関係を調整等する作業が容易に行える。
【００６４】
また、第二のダクト７６は、下板材８８を用いない形態も可能である。この場合は、基礎部の上部に両側板材８４，８４及び上板材８６からなる三方枠のダクト構造が形成される。このとき、例えば、断面Ｌ字状の長尺の固定具を用い、この固定具を基礎部に固定してこれに側板材８４を接続し、第二のダクト７６の側板材８４の下部を基礎部に固定することができる。
【００６５】
図６に示すように、上記第二の支持脚７８は、平板状で配線等を止めるクリップ１０９付の台座部９０、この台座部９０に立設された脚部９１、上板載置部９２及び床材載置部９４を有する。上記脚部９１は、中空状の高さ調整部９６、この高さ調整部９６に高さ調整可能に螺入される支持ボルト９８からなる。この支持ボルト９８には螺子溝が刻設され、その中間部には上板載置部９２が、また上端部には床材載置部９４がそれぞれ螺合されている。
【００６６】
上板載置部９２は、支持ボルト９８に螺合する部位、及びこの部位から横に突出する板状部位からなる保持片９３、及びこの保持片９３の上部に配置される中空円板状の保持部材９５を有する。保持片９３は高さ調整が可能であり、これと同時に保持部材９５の高さも調整できる。上板載置部９２は、第二のダクト７６の上板材８６を保持する。
なお、第二の支持脚７８を床材７４のみの支持に用い、第二のダクト７６の上板材８６の保持に用いない場合には、必ずしも上板載置部９２を設ける必要はない。
【００６７】
床材載置部９４には、板状（正方形状）の載置部１０２の中央に筒部１０４が形成され、載置部１０２の四方にはそれぞれ角柱状の嵌合部１０６が設けられている。筒部１０４の内周には螺子溝が形成され、支持ボルト９８とは高さ調整可能に螺合している。
各嵌合部１０６の上部にわたって、座材１０８が十字状に配置されている。この座材１０８は合成樹脂製で、上部に載置される床材７４との間の緩衝材として機能する。
第二の支持脚７８は、基礎部に台座部９０を固定し、また上板載置部９２で第二のダクト７６の上板材８６を保持し、床材載置部９４で床材７４を支持する。
【００６８】
上記噴流装置１０は、台座部４０の中央に立設される脚部４２、及び噴流ノズル部４４を有し、噴流ノズル部４４は、空調空気の導入口４６、旋回室４８及び空調空気を吹き出す噴出口５０等で構成されている。
第二のダクト７６と噴流ノズル部４４との間は、連通部材５４により連結する。また、第二のダクト７６の側板材８４には、適宜な箇所に連通部材５４と連通させるための送気孔５３を設ける。第二のダクト７６を流通する空調空気は、連通部材５４により分岐して噴流ノズル部４４に送られる。
【００６９】
噴流装置１０の脚部４２は、高さ調整可能であり、また脚部４２の上端部に第二の支持脚７８の床材載置部９４と同様の部材を取り付けることで、第二の支持脚７８と同様に床材７４を支持することも可能である。
噴流装置１０は、空調空気を効率よく床材７４に吹き付けてその温度調整を行い、また床下空調を行うのに有効である。他に、第二のダクト７６の上板材８６、或いは側板材８４等に空気噴出用の噴出孔を複数設け、これら噴出孔から空調空気を噴出させ、床下空調を行うこともできる。
第二のダクト７６等は、予め工場等で必要な加工を行い、現場では組み立てを行う。
【００７０】
ここで、第二のダクト７６及び第二の支持脚７８等の配置形態について説明する。
第二のダクト７６、第二の支持脚７８、及び床材７４の施工に係る配置形態等については、上記第一のダクト６、第一の支持脚８、及び床材４に係る配置形態等と略同様である。
第二の支持脚７８は碁盤の目状に配置し、これに載置する床材７４の角部の位置、また複数（２〜４個）の床材７４の角部同士が突合する位置に設置する。
【００７１】
基礎部に配置する第二のダクト７６の配置形態は、コの字状等、様々有り、空調空気を床下空間部の全体に均一に流通させる。
また、第二のダクト７６の配置位置は、第二の支持脚７８の配置位置とは無関係に定める。このため、第二のダクト７６の配置位置内（内部）に第二の支持脚７８が位置し、両者が重なる箇所が発生する。
【００７２】
ここでは、第二のダクト７６の内部に第二の支持脚７８が配置される場合には、この第二の支持脚７８により第二のダクト７６の上板材８６を保持する。このため、第二の支持脚７８は、床材載置部９４で床材７４を支持するとともに、上板載置部９２により第二のダクト７６の上板材８６を載置保持する。
第二のダクト７６の配置位置が第二の支持脚７８と重なる場合には、この第二のダクト７６の該当部位には、第二の支持脚７８の床材載置部９４が自在に通過し得る挿通孔部８７を設けておく。
【００７３】
第二のダクト７６と重なる第二の支持脚７８には、上板載置部９２を取り付けておく。この上板載置部９２は、第二のダクト７６の上板材８６（挿通孔部８７の周辺部）を載置し、この上板材８６を保持する。
第二のダクト７６の上板材８６に設けた挿通孔部８７は、第二の支持脚７８の床材載置部９４より大きく形成して床材載置部９４の通過を可能にする。
【００７４】
また、上板材８６の挿通孔部８７は、上板載置部９２の保持部材９５より小さく形成し、保持部材９５の上部への上板材８６の載置を可能にし、また挿通孔部８７を閉塞する。
ここでは、挿通孔部８７及び保持部材９５をそれぞれ円形に形成しているため、挿通孔部８７の径は保持部材９５の径よりも小さく形成する。これにより、保持部材９５の上部に上板材８６を載置しこれを保持することを可能にし、また保持部材９５により挿通孔部８７の全体を覆い、この挿通孔部８７を閉塞する。
【００７５】
続いて、第二のダクト７６、第二の支持脚７８及び床材７４等の施工について説明する。
第二のダクト７６、第二の支持脚７８及び床材７４等の施工については、上記第一のダクト６、第一の支持脚８及び床材４等の施工とは概ね同様である。
先ず、建物の基礎面２上に遮熱シート６０を敷設する。第二の支持脚７８、噴流装置１０及び第二のダクト７６等の配置に際しては、これらを遮熱シート６０（又は第二のダクト７６の下板材８８）の上部に配置する。なお、第二の支持脚７８、噴流装置１０及び第二のダクト７６等を直接基礎面の上部に設置してもよい。
【００７６】
そして、基礎部として遮熱シート６０上又は基礎面上に、第二の支持脚７８を配置し、碁盤の目状の交差点に配置した台座部９０を、ビス等を用いて固定する。
噴流装置１０についても、第二の支持脚７８と同様に配置し固定する。このとき、第二の支持脚７８に代えて噴流装置１０を配置し、この噴流装置１０で床材７４を支持させることもできる。
【００７７】
第二の支持脚７８同士の縦横の各間隔は、床材７４（正方形）の角部に第二の支持脚７８が配置されるよう適宜な幅に定め、また噴流装置１０についても第二のダクト７６との関係により適宜な位置に配置する。
また、床材７４の角部は第二の支持脚７８の床材載置部９４の一部と嵌合可能であり、この床材載置部９４により、４枚の床材７４の角部を突き合せた状態でこれらを支持することができる。
【００７８】
次に、図７に示すように、基礎部の上部に第二のダクト７６を配置する。第二のダクト７６については、遮熱シート６０上に下板材８８を配置し、その両側にそれぞれ側板材８４をはぜ継ぎ等によって組み付ける。なお、噴流装置１０の近くに配置される側板材８４には、予め送気孔５３を設けておく。
【００７９】
そして、両側板材８４，８４の上部に上板材８６を配置し、側板材８４の上部と上板材８６の端部とは、ボタンパンチはぜ継ぎの手段により接合し両者を組み付ける。このとき側板材８４に対して上板材８６は、はぜ継ぎにより取り外し、開閉可能（横方向等）であるため、上板材８６の位置等を定めるのが容易で作業がし易い。
【００８０】
図７に示すように、第二のダクト７６の配置位置が第二の支持脚７８と重なる場合には、この第二のダクト７６における上板材８６の該当部位に設けた挿通孔部８７から第二の支持脚７８の一部である床材載置部９４等を突出させ、この床材載置部９４で床材７４を支持する。
ここでは、一枚の上板材８６について３箇所、第二の支持脚７８が重なることから、該当する３箇所の位置にそれぞれ挿通孔部８７を設けている。
【００８１】
そして、この第二の支持脚７８の上板載置部９２の保持部材９５は、上板材８６の挿通孔部８７の周辺を下から保持する。このとき、上板載置部９２の高さを調節し、上板載置部９２の保持部材９５と上板材８６とを重ねる。こうして、上板載置部９２の保持部材９５により上板材８６の挿通孔部８７を被い、第二のダクト７６を通過する空調空気が挿通孔部８７から漏れないようにする。
また、上板材８６と上板載置部９２（保持部材９５等）とが重なる部位を、ビス等の止着具或いは接着材等を用いて固定する。このように、上板材８６の挿通孔部８７周辺部位を上板載置部９２に固定することで、流通空気の送風量の変化等による第二のダクト７６の各板材の振動等を防止する。
第二のダクト７６の上板材８６同士、側板材８４同士の各接合部は、一部を重ねてビス止めし、或いは平はぜ等のはぜ継ぎ等により接合する。
第二のダクト７６は、上記手順により施工し、定められた配置形態に基づいて配置する。
【００８２】
第二のダクト７６を流通する空調空気は、さらに分岐して噴流装置１０に送られ床下空調を行う。第二のダクト７６と噴流装置１０とを連結する連通部材５４は、一端部の連結板材５６を、第一のダクト７６の送気孔５３の部位に取り付け、他端部を噴流ノズル部４４の導入口４６に連結する。
なお、施工手順において、先に第二のダクト７６（上板材８６以外）を配置し、後から第二の支持脚７８を配置する手順を採用することもできる。この場合、下板材８８の上に該当する第二の支持脚７８を配置し、この第二の支持脚７８を下板材８８及び基礎部等に固定する。また、第二のダクト７６の上板材８６は、第二の支持脚７８を配置した後から取り付ける。
【００８３】
第二の支持脚７８、第二のダクト７６及び噴流装置１０等の設置が完了したら、第二の支持脚７８等の上部に床材７４を配置する。この床材７４は、角部を第二の支持脚７８の床材載置部９４に載置し、四隅の各角部をそれぞれの位置に配置された第二の支持脚７８に支持させる。そして、全ての床材７４を敷設し床面を仕上げる。
【００８４】
第二のダクト７６の空調空気の導入口は、空調機と連通させる。空調機からは、暖房、或いは冷房用の空調空気が送出される。
空調機からの空調空気は、導入口から第二のダクト７６の流通路を流通する。この流通路では、各所に設けた噴流装置１０に空調空気が分流し、噴流装置１０の噴流ノズル部４４から空調空気が床材７４の裏面部に吹き付けられ、床材７４自体の温度調整及び床下空間部の空調が行われる。そして、空調空気により床材４の表面温度を調整し、床面からの輻射空調等により室内の空調を行い、また床下の空調空気の一部を室内に導入することで直接室内の空調も行える。
【００８５】
従って、上記第二の実施の形態によれば、第二の支持脚の配置に関係なく、空調空気の流通路としての第二のダクトのレイアウトを自由に設計することができ、また第二のダクトの大きさも自由に設定できる等、自由度が高くて汎用性に富み、また空調空気を部屋の床下部の全体にわたって流通させることができて空調が良好に行え、加えて第二のダクトの配置及び組み立ても容易であり、且つ床材の敷設にも影響を与えず、各部材の設置が自由かつ簡単であることから施工性にも優れ、各部材の製造も容易で経済性にも優れるという効果がある。
また、第二のダクトは第二の支持脚等に拘束されず、床下空間部に自由に配置でき、併せて、所望する空調空気の風量に合った流通路として第二のダクトの大きさを自由に設定することが可能である。
【００８６】
なお、第二のダクトについても、上記第一のダクトの他の形態で説明したのと同様な形態、例えば上板材或いは下板材と側板材とが一体となった断面コの字状、断面Ｌ字状等の形態を採用することが可能である。このように、第二のダクトについては、上板材及び左右の側板材からなる形態、さらに下板材が加わる形態があるが、各板材同士は一体、別体（組立時に接合して一体化）の何れの形態についても採用可能である。
上記第二のダクトの何れの形態についても、その他の構成、配置形態、施工方法は同様であり、また上記と同様な効果を得ることができる。
【符号の説明】
【００８７】
４，７４  床材
６  第一のダクト
８  第一の支持脚
１０  噴流装置
１４，８４  側板材
１６，８６  上板材
１８，８８  下板材
３０，９４  床材載置部
４４  噴出ノズル部
５４  連通部材
７６  第二のダクト
７８  第二の支持脚
８７  挿通孔部
９２  上板載置部
【図１】
2018159514.tif 000003
【図２】
2018159514.tif 000004
【図３】
2018159514.tif 000005
【図４】
2018159514.tif 000006
【図５】
2018159514.tif 000007
【図６】
2018159514.tif 000008
【図７】
2018159514.tif 000009